(57)【要約】  自動車両用の照明および／または合図装置の照明モジュール（１）であって、光源支持体（１０）上に定置された少なくとも１つの光源（１４）と、当該少なくとも１つの光源（１４）によって放出された光線を受ける入光面を有し、光源に面して定置された光学素子（３０）と、光学素子（３０）を支持する、前記光源支持体（１０）に固定されたフレーム（２０）とを備えた照明モジュール（１）において、光学素子（３０）は、光源支持体（１０）に向かって突き出た自由端を有する少なくとも１つの脚柱（３５０）を有し、当該少なくとも１つの脚柱（３５０）は、光学素子（３０）と同じ材料で作られると共に、当該照明モジュール（１）が組み立てられたときに光源支持体（１０）と直接ないしは間接的に接触していることを特徴とする。
2022501773.tif 000002
【特許請求の範囲】
【請求項１】
自動車両用の照明および／または合図装置の照明モジュール（１）であって、
光源支持体（１０）上に定置された少なくとも１つの光源（１４）と、
前記少なくとも１つの光源（１４）によって放出された光線を受ける入光面を具備し、前記光源に面して定置された光学素子（３０）と、
前記光学素子（３０）を支持する、前記光源支持体（１０）に固定されたフレーム（２０）と、
を備えた照明モジュール（１）において、
前記光学素子（３０）は、前記光源支持体（１０）に向かって突き出た自由端を有する少なくとも１つの脚柱（３５０）を有し、前記少なくとも１つの脚柱（３５０）は、前記光学素子（３０）と同じ材料で作られると共に、当該照明モジュール（１）が組み立てられたときに前記光源支持体（１０）と直接ないしは間接的に接触している、ことを特徴とする照明モジュール（１）。
【請求項２】
前記少なくとも１つの光源（１４）と前記光学素子（３０）の入光面との間の距離が０．４ｍｍ未満である、ことを特徴とする前記請求項に記載の照明モジュール（１）。
【請求項３】
前記光学素子（３０）は複数の脚柱（３５０）、例えば２つの脚柱、３つの脚柱、または４つの脚柱を備えている、ことを特徴とする前記請求項のいずれかに記載の照明モジュール（１）。
【請求項４】
前記少なくとも１つの脚柱（３５０）は、前記光学素子（３０）の前記入光面の周囲に配置されている、ことを特徴とする前記請求項のいずれかに記載の照明モジュール（１）。
【請求項５】
前記光学素子（３０）は複数の光導波路（３３，３４）を備え、各光導波路（３３，３４）が前記光学素子（３０）の前記入光面を形成する入光面（３３ａ，３４ａ）を備えている、ことを特徴とすると共に、前記光学素子（３０）はまた、少なくとも前記光源（１４）と同じ数の光導波路を備え、前記光源（１４）のそれぞれは、当該光源（１４）によって放出された光線が、その光源の関連付けられる光導波路（３３，３４）の前記入光面（３３ａ，３４ａ）を通じて前記光学素子（３０）へ入射するように当該光導波路（３３，３４）と関連付けられている、ことを特徴とする前記請求項のいずれかに記載の照明モジュール（１）。
【請求項６】
前記フレーム（２０）は、基部（２００）を備えて、その基部（２００）によって前記光源支持体（１０）に接触し、前記脚柱（３５０）のうちの少なくとも１つにおける前記自由端の、前記基部（２００）に接する平面Ｔａに垂直な直線Ｄ上への正射影が、前記光導波路（３３，３４）の前記入光面（３３ａ，３４ａ）の全ての前記射影のうち、前記基部の方向に下流側へ最も離れて位置した前記光導波路（３３，３４）の前記入光面（３３ａ，３４ａ）の前記射影に対して、同方向に、より上流側へ離れて、ないしは同程度の所に位置している、ことを特徴とする前記請求項に記載の照明モジュール（１）。
【請求項７】
前記前記光導波路（３３，３４）の前記自由端と前記光源（１４）との間に間隔をもたらすようにスペーサ（３５１）が前記脚柱（３５０）に接触している、ことを特徴とする前記請求項に記載の照明モジュール（１）。
【請求項８】
前記フレーム（２０）は、基部（２００）を備えて、その基部（２００）によって前記光源支持体（１０）に接触し、前記脚柱（３５０）のうちの少なくとも１つにおける前記自由端の、前記基部（２００）に接する平面Ｔａに垂直な直線Ｄ上への正射影が、前記光導波路（３３，３４）の前記入光面（３３ａ，３４ａ）の全ての前記射影のうち、前記基部（２００）の方向に下流側へ最も離れて位置した前記光導波路の前記入光面（３３ａ，３４ａ）の前記射影よりも、同方向に下流側へ離れて位置している、ことを特徴とする請求項５記載の照明モジュール（１）。
【請求項９】
前記光学素子（３０）と前記フレーム（２０）とによって形成される組立体が前記光源支持体（１０）上に取り付けられる前には、前記基部（２００）に接する平面Ｔａに対して各脚柱（３５０）が交差している、ことを特徴とする請求項８記載の照明モジュール（１）。
【請求項１０】
前記フレーム（２０）と前記光学素子（３０）とによって形成される組立体が前記光源支持体（１０）上に取り付けられるときに変形することのできる弾性接続部（２４）を、前記光学素子（３０）と前記フレーム（２０）との間に備えている、ことを特徴とする請求項９記載の照明モジュール（１）。
【請求項１１】
前記弾性接続部（２４）が前記光学素子（３０）と同じ材料で作られている、ことを特徴とする請求項１０記載の照明モジュール（１）。
【請求項１２】
前記光学素子（３０）および前記脚柱（３５０）が弾性変形可能な材料で作られている、ことを特徴とする前記請求項のいずれかに記載の照明モジュール（１）。
【請求項１３】
前記フレーム（２０）が、前記光学素子（３０）および前記脚柱（３５０）よりも弾性変形しにくい材料で作られている、ことを特徴とする前記請求項のいずれかに記載の照明モジュール（１）。
【請求項１４】
前記フレーム（２０）の膨張率が前記脚柱（３５０）の膨張率よりも遙かに低くなっている、ことを特徴とする前記請求項のいずれかに記載の照明モジュール（１）。
【発明の詳細な説明】
【技術分野】
【０００１】
本発明は、特に自動車両についての、照明および／または合図の分野に関するものである。より特定的には、本発明は自動車両用の照明および／または合図装置の照明モジュールに関するものである。
【背景技術】
【０００２】
自動車両には、車外の明るさが低下したとき（特に夜間）に運転者が道路を見ることができるよう、車両前方の道路を照らすためのヘッドライトが装備されている。ヘッドライトは、ハウジングと、そのハウジングを密閉するための外側レンズとを備えている。光源と光学素子とを備えた照明モジュールがハウジング内に配置されている。光源は、光線を成形する光学素子の入光面に向かって当該光線を放出する。光源によって放出された光線に基づいて精確な配光を伴った最終的な光ビームを成形するために、光学モジュールが用いられ得る。その最終的な光ビームが、ヘッドライトの密閉外側レンズを通じて道路上へと投射されるのである。
【０００３】
最終的な光ビームの配光が制御されることが重要である。特に、そのビームは、現行の規制を満たさねばならず、種々の道路使用者達（例えば、対向車や先行車の運転者ら）を幻惑してはならないのである。
【０００４】
従って、光源によって放出された光線が光学素子の入光面の方へ差し向けられるように、光学素子の入光面に対して光源を精確に定置（位置決め）することが不可欠なのである。また、照明モジュールの高い効率のためには、光源によって放出された光線の最大量を入光面が捕らえねばならない。この目的のためには、光源が光学素子の入光面にできるだけ近接して（例えば、０．４ｍｍ未満の距離に）定置されねばならない。しかしながら、光源への損傷を避けるためには、光学素子の入光面と光源との間に間隔を残しておくことが重要である。これは、光学素子の入光面が光源に接してしまえば、光学素子や光源が傷つくであろうからである。
【０００５】
さらに、光源が点灯されたときには、その光源が熱を生じさせる。光源と光学素子との近接によって、光源により生じた熱が光学素子を熱くしてしまう。そして光学素子が変形させられることで、光源と光学素子の入光面との間の距離を変化させてしまう。かくして光源と光学素子の入光面との相対的な位置が変わってしまうのである。そして、光源によって放出された光線が光学素子の入光面へ異なる道のりで入射し、最終的な光ビームを変化させてしまう結果となる。
【０００６】
特許文献１（EP2306077）は、プリント回路によって基盤構造上に定置された光源と、基盤構造上の支持体によって保持された光学素子とを備え、支持体と光学素子とが同じ材料で作られた照明モジュールを記述している。かくして、光源が点灯されたときには、その光源が光学素子とその支持体との両者を加熱する。そして、光学素子の変形が支持体の変形によって補償されるのである。
【先行技術文献】
【特許文献】
【０００７】
【特許文献１】欧州特許出願公開第２３０６０７７号明細書
【発明の概要】
【発明が解決しようとする課題】
【０００８】
本発明の目的は、光源に対する光学素子の定置を確保すると共に、光源が、光学素子の入光面に接触するようになることなく、この面にできるだけ近接して定置されるのを保証することのできる照明モジュールについての、代替的な解決策を提供することである。本発明のもう１つの目的は、温度変化の影響を受けることなく、光源と光学素子の入光面との間に実質的に一定の距離を保つことである。
【課題を解決するための手段】
【０００９】
この目的のため、本発明によれば、
自動車両用の照明および／または合図装置の照明モジュールであって、
−  光源支持体上に定置された少なくとも１つの光源と、
−  当該少なくとも１つの光源によって放出された光線を受ける入光面を具備し、光源に面して定置された光学素子と、
−  光学素子を支持する、前記光源支持体に固定されたフレームと、
を備えた照明モジュールにおいて、
光学素子は、光源支持体に向かって突き出た自由端を有する少なくとも１つの脚柱を有し、当該少なくとも１つの脚柱は、光学素子と同じ材料で作られると共に、当該照明モジュールが組み立てられたときに光源支持体と直接ないしは間接的に接触している、という点において注目すべき照明モジュールがもたらされる。
【００１０】
「直接接触」とは、脚柱が光源支持体に接することを意味する。従って、脚柱と光源支持体との間には中間部品が存在していない。そうして光学素子は、当該少なくとも１つの脚柱によって光源支持体に直接準拠させられるのである。
【００１１】
「間接的に接触」とは、脚柱が、光源支持体に接触した中間部品と接触するようになることを意味する。そうして光学素子は、中間部品によって光源支持体に準拠させられるのである。
【００１２】
かくして、本発明の結果として、光源を光学素子に対して定置することができる。これは、脚柱が（光源支持体と直接接触するか間接的に接触するかにかかわらず）光源支持体に対して、従って、これもまた光源支持体上に定置された光源に対して、光学素子を準拠させることを可能とするからである。
【００１３】
脚柱はまた、光学部品と光源との間の距離が管理されることを可能ともする。従って、光源を、光学素子の入光面に接触するようになることなく、この面にできるだけ近接して定置することができる。
【００１４】
本発明はまた、温度変化の影響を受けることなく、光源と光学素子の入光面との間に実質的に一定の距離が保たれることを可能ともする。これは、光学素子と脚柱とが同じ材料で作られているため、それらが温度変化の関数として同じように変形するからである。脚柱が準拠用装置としての機能を果たすことから、その変形によって光学素子の変形が補償され、光学素子の入光面と光源との間に一定の距離がもたらされることを可能とするのである。
【００１５】
少なくとも１つの光源と光学素子の入光面との間の距離が０．４ｍｍ未満であることが、光源によって放出された光線の大部分を入光面が捕らえることを可能として、有利である。
【００１６】
光学素子は複数の脚柱、例えば２つの脚柱、３つの脚柱、または４つの脚柱を備えていることが有利である。
【００１７】
少なくとも１つの脚柱は、光学素子の入光面の周囲に配置されていることが有利である。
【００１８】
その周囲の全周に沿った位置を単一の脚柱が占めていてもよい。それに代えて、その周囲に沿って複数の脚柱が分散配置されていてもよい。それらの脚柱は、規則的に間隔を置かれていてもよく（連続する２つの脚柱間の間隔が同一であることを意味する）、或いは不規則に間隔を置かれていてもよい。それらの脚柱はまた、光学素子の入光面における対称軸の両側に対称に分散配置されていてよい。
【００１９】
光学素子は、複数のマイクロレンズを備えているのが有利である。
【００２０】
或いは、光学素子は複数の光導波路（導光体）を備え、各光導波路が光学素子の前記入光面を形成する入光面を備えている。各光導波路は、光学素子から各脚柱と同じ方向へ伸びている。かくして各光導波路の入光面が光源支持体に面して定置される。
【００２１】
光学素子は、少なくとも光源と同じ数の光導波路を備える。光源の数は、光導波路の数より少なくてもよい。この場合、一部の光導波路は如何なる光源とも関連付けられない。或いは、光源の数が光導波路の数と同じであってもよい。その場合、各光導波路が１つの光源と関連付けられる。
【００２２】
光源のそれぞれは、光導波路と関連付けられる。光導波路の関連付けられた光源は、光導波路の入光面に面して定置される。その結果、光源のそれぞれによって放出された光線が、その光源の関連付けられた光導波路の入光面を通じて光学素子へ入射する。
【００２３】
第１実施形態によれば、フレームは、基部を備えて、その基部によって前記光源支持体に接触し、脚柱のうちの少なくとも１つにおける自由端の、前記基部に接する平面に垂直な直線上への正射影が、光導波路の入光面の全ての射影のうち、基部の方向に下流側へ最も離れて位置した光導波路の入光面の射影よりも、同方向に上流側へ離れて、ないしは同程度の所に位置している。換言すれば、フレームの基部に接する平面に垂直な直線上への正射影において、各光導波路の端部が、基部の方向へ脚柱よりも遠くまで伸びているのである。
【００２４】
光導波路の入光面と光源との間に間隔をもたらすようにスペーサが脚柱に接触していることが有利である。そうして、スペーサと、そのスペーサの関連付けられる脚柱とによって形成される要素の、基部に接する平面に垂直な直線上への正射影が、光導波路の入光面の全ての射影のうち、基部の方向に下流側へ最も離れて位置した光導波路の入光面の射影よりも、同方向に下流側へ離れて位置している。かくしてスペーサは、光学素子の入光面に対する光源の正確な定置を確保することができる。そのスペーサは、光学素子の入光面と光源との間の間隔が管理されることを可能とし、かくして光学素子の入光面と光源との間に間隔が保たれることを保証する。
【００２５】
第１の変形例によれば、スペーサは光源支持体上に定置され、脚柱がスペーサ上で支持される。
【００２６】
第２の変形例によれば、スペーサは脚柱の端部に付けられる。
【００２７】
第２実施形態によれば、フレームは、基部を備えて、その基部によって前記光源支持体に接触し、脚柱のうちの少なくとも１つにおける自由端の、前記基部に接する平面に垂直な直線上への正射影が、光導波路の入光面の全ての射影のうち、基部の方向に下流側へ最も離れて位置した光導波路の入光面の射影よりも、同方向に下流側へ離れて位置している。換言すれば、フレームの基部に接する平面に垂直な直線上への正射影において、各光導波路の端部が、基部の方向へ脚柱ほど遠くまでは伸びていないのである。
【００２８】
そうして各脚柱は、組立ての間に光学素子が光源支持体上に準拠させられるのを可能とすると共に、光学素子の入光面と光源との間の間隔が管理されることを可能とする。それらの脚柱が、光学素子の入光面と光源との間に間隔が保たれることを保証するのである。
【００２９】
光学素子とフレームとによって形成される組立体が光源支持体上に取り付けられる前には、基部に接する平面に対して各脚柱が交差しているのが有利である。かくして、−４０℃から２５℃までの範囲に及ぶ温度について、各脚柱と光源支持体との間の接触がもたらされる。
【００３０】
適切な場合、当該照明モジュールは、フレームと光学素子とによって形成される組立体が光源支持体上に取り付けられるときに変形することのできる弾性接続部を、光学素子とフレームとの間に備えている。かくして光学素子とフレームとによって形成される組立体が、光源支持体上へと容易に組み付けられ得るのである。
【００３１】
弾性接続部が光学素子と同じ材料で作られているのが有利である。これにより、光学素子と弾性接続部とを形成するのに射出せねばならないのが１つの材料のみであることから、照明モジュールの製造が容易となる。
【００３２】
実施形態を単独で考えるか、それとも別の実施形態と組み合わせるかにかかわらず、光学素子および脚柱が弾性変形可能な材料で作られる。例えば、光学素子と各脚柱とがシリコーンで作られていてよい。この材料は、自動車両の照明および／または合図装置の環境において一般的に直面する（特に１５０℃にまで達する）高温への優れた耐性をもたらすという利点を有している。
【００３３】
フレームが、光学素子および脚柱よりも弾性変形しにくい材料で作られているのが有利である。これにより、各光源に面した各ライトガイド（導光体）の取扱いや定置が容易となる。
【００３４】
フレームは、紫外線放射の作用によって硬化する接着剤で光源支持体に固定されるのを可能とするよう、紫外線放射を通す材料で作られるのが有利である。
【００３５】
フレームは例えば、ポリカーボネート（ＰＣ）、ポリ（メチルメタクリレート）（ＰＭＭＡ）、ポリウレタン（ＰＵ）、またはポリエーテルイミド（ＰＥＩ）で作られてよい。
【００３６】
フレームの膨張率が脚柱の膨張率よりも遙かに低くなっていて、温度が上昇した場合に脚柱と光源支持体との間の接触が確保されることを可能とするのが有利である。
【００３７】
各脚柱は、光学素子と一体に作られているのが有利である。それらの脚柱は、かくして光学素子と同時に形成され得る。それに代えて、各脚柱が光学素子に付けられてもよい。この場合、それらの脚柱は別個に形成されてから、光学素子に組み付けられる。
【００３８】
光学素子がフレーム上にオーバーモールドされるのが有利である。
【００３９】
光源支持体はプリント回路であるのが有利である。
【００４０】
各光源は、英語「Light-Emitting Diode」の略語としてＬＥＤとも呼ばれる発光ダイオードであるのが有利である。
【００４１】
フレームは、当該フレームを光源支持体に固定するためのインターフェイスを備えているが有利である。例えばフレームは、内部にネジの定置され得る１つないし複数の開口を備えていてよい。或いはインターフェイスは、フレームの段部によって、ないしはフレーム上の接着用溝部によって形成されることもできるであろう。
【００４２】
本発明のその他の特徴および利点は、明細書および図面の助けを借りて、より容易に明らかとなるであろう。
【図面の簡単な説明】
【００４３】
【図１】本発明による照明モジュールを示す図。
【図２】図１の照明モジュールを、その補正レンズ無しで示す図。
【図３】発光ダイオード同士のアレイの支持体を下流側から見た斜視図。
【図４】図１の照明モジュールの一部分を形成する光学素子の後方部分を上流側から見た透視投影図。
【図５】本発明の第１実施形態による照明モジュールの一部分を図２のＶ−Ｖ軸に沿って切った断面図。
【図６】本発明の第２実施形態による照明モジュールの一部分を図２のＶ−Ｖ軸に沿って切った断面図。
【図７】図６に示す部分を光源支持体に組み付ける前における、その部分の断面図。
【図８】横・鉛直方向断面に沿った照明モジュールの断面図。
【発明を実施するための形態】
【００４４】
明細書の残部において、以下の各方向が非限定的に用いられることとなる：
−  照明モジュールの投射レンズの光軸に沿って後方から前方へ伸びる、縦方向「Ｌ」、
−  左方から右方へ伸びる、横方向「Ｔ」、
−  下方から上方へ伸びる、鉛直方向「Ｖ」。
【００４５】
図１は、自動車両用の照明または合図装置に装着されるべき照明モジュール１を示している。照明モジュール１は、前方光ビームを生成することができる。
【００４６】
照明モジュールは、複数の光源１４がその上に定置される光源支持体１０を備えている。図示される光源支持体１０は、ここではプリント回路１０’である。
【００４７】
各光源１４（特に図３で見える）は、下方列１２および上方列１３に沿って振り分けられている。各列は、１３個の光源１４を含んでいる。かくして、２つの列同士の二重配置によって光源１４同士のアレイ１５が形成されている。
【００４８】
各光源は、発光ダイオードである。
【００４９】
光源１４同士のアレイ１５は、縦方向「Ｌ」に直交する平面内に広がっている。各光源１４は、光源支持体１０の前面によって保持されている。
【００５０】
各光源１４は、自らの作動中に熱を放出しやすいものである。各光源１４がその上に定置される光源支持体１０は、ヒートシンク１１上に定置されている。ヒートシンク１１は、光源支持体１０とは反対の方向へ伸びる複数のフィン１６を備え、かくして光源１４によって放出された熱を放散させることを可能としている。
【００５１】
各光源１４は光線を放出する。これらの光線は、光学モジュールが道路上へと光ビームを投射できるように成形されねばならない。
【００５２】
この目的のために光学モジュール１は、各光源１４から放出された光線を受けることのできる光学素子３０を有している。光線が正しく成形されるのを保証するためには、光学素子３０に対して各光源１４が精確に定置されねばならない。光源支持体に対する光学素子の定置は、フレーム２０によって確立される。
【００５３】
フレーム２０は、光学素子３０を保持するのに用いられ得る。フレーム２０は、光学素子３０が周囲にオーバーモールドされる中央孔を有している。フレームはまた、３つの開口２１，２２，２３をも有している。それらの開口２１，２２，２３内には、フレーム２０と光源支持体１０との間の固定用インターフェイスを形成するようにネジを定置することができる。そして、開口２１，２２，２３内へと挿入されるネジ（図示せず）によって、光源支持体３０にフレーム２０を固定することができる。或いは、固定用インターフェイスは、フレーム２０の段部によって、ないしはフレーム２０上の接着用溝部によって形成することができるであろう。
【００５４】
フレーム２０は、基部２００を備え、その基部２００によって光源支持体１０に接触している。
【００５５】
光学素子３０は、図２で見える前方部分３０ａと、図４で見える後方部分３０ｂとを備えている。後方部分３０ｂは、複数の光導波路３３，３４によって形成されている。図８で見えるように、各光導波路３３，３４は、光線のための入光面３３ａ，３４ａから前端出光面３６ａまで主縦軸線に沿って伸びている。各ライトガイドは、入光面３３ａ，３４ａを通じて入射する光線を前端面３６ａへ導くように設計されている。かくして、光導波路３３，３４における入光面３３ａ，３４ａ同士の組が光学素子３０の入光面を形成し、各前端面３６ａが二次光源３６を形成している。
【００５６】
後方部分３０ｂは、光源１４と同じ数の光導波路３３，３４を備えている。図示例において後方部分３０ｂは、照明モジュール１における光源１４の数と同じ数の光導波路３３，３４を備えているのである。後方部分３０ｂは、１３個の光導波路３３を含んだ下方列３１２と、１３個の光導波路３４を含んだ上方列３１３とを備えている。下方列３１２の各光導波路３３は、下方列１２のある１つの光源１４と関連付けられ、上方列３１３の各光導波路３４は、上方列１３のある１つの光源１４と関連付けられている。
【００５７】
光導波路３３，３４の関連付けられる光源１４は、当該光導波路３３，３４の入光面３３ａ，３４ａに面して定置される。そうして、関連付けられた光導波路３３，３４の入光面３３ａ，３４ａは、それが関連付けられる光源１４によって放出された光線を捕らえるのである。
【００５８】
或いは、光学素子３０は複数のマイロレンズを備える。
【００５９】
ライトガイド３３，３４の入光面３３ａ，３４ａ同士が、光源支持体１０の平面と平行な共通平面内に配置されている。光学素子３０が光学モジュール１内に配置されたとき、光導波路３３，３４の各入光面３３ａ，３４ａは、関連付けられた光源１４に面して近接して定置される。その結果、各光源１４によって放出された光線の大部分が、関連付けられた光導波路へ入射するのである。
【００６０】
各光導波路３３，３４は、照明または合図装置に相応の光学モジュールの機能を果たすのに望ましい形状を有した基本出射光ビームを作り出すように適合された断面を有している。
【００６１】
二次光源３６を形成する光導波路３３，３４の前端面同士が、曲面Ｃに沿って配置されている。かくして、光学素子３０の外側の方に位置した光導波路３３，３４は、光学素子３０の中央部に位置した光導波路３３，３４よりも長くなっている。
【００６２】
変形例においては、光導波路３３，３４の前端面同士は共通平面内に配置されることができるであろう。
【００６３】
かくして、光導波路３３，３４の前端面同士が、基本光ビームを放出する二次光源３６同士のアレイを形成している。これらの基本光ビームは、光学素子３０の前方部分３０ａによって成形される。この前方部分３０ａは、例えば基本光ビームを鉛直方向および／または水平方向に広げることを可能とする。
【００６４】
前方部分３０ａは、光学素子３０からの光線の出射のための共通前端面３７を備えている。
前方部分３０ａは、光学素子３０が単一体要素であるように、光導波路３３，３４と一体に作られている。
【００６５】
照明モジュール１はまた、光学素子３０の縦方向前方に距離を置いて配置された投射レンズ４１をも備えている。投射レンズは、各光導波路によって形成される二次光源を、最終的な光ビームを成形するよう無限遠に向かって投射することができる。
【００６６】
投射レンズは、物体焦点面Ｓを備えている。この焦点面は、凹形球状の湾曲変形を有している。この変形は、ペッツバール像面収差と呼ばれている。
【００６７】
結果として得られる最終的なビームが、その用途にとって望ましい光特性を有することを保証するためには、各二次光源が鮮明に映し出され（結像され）ねばならない。この目的のためには、各二次光源が、投射レンズ４１の物体焦点面上に位置しておらねばならない。
【００６８】
投射レンズ４１が各二次光源３６上へ正確に合焦されることを可能とするために、光学素子３０と投射レンズ４１との間にフィールド（像面）補正レンズ４０が介在させられている。このフィールド補正レンズ４０は、投射レンズ４１の像面湾曲収差の一部分を補正するように設計されている。投射レンズ４１の像面湾曲収差の他の部分は、二次光源３６同士によって形成される湾曲によって補正される。
【００６９】
フィールド補正レンズ４０は、フィールド補正レンズ４１によって湾曲させられた物体焦点面Ｓの像が、二次光源３６同士のアレイの湾曲出光面Ｃと一致した物体焦点面内に広がるように形作られている。
【００７０】
光学素子３０の後方部分３０ｂは、４つの脚柱３５０を備えている。各脚柱３５０は、光源支持体１０の方へ突き出た自由端を有している。脚柱３５０それぞれの他端は、光学素子３０と一体に作られている。かくして各脚柱は、光学素子３０との単一体として作られているのである。
【００７１】
脚柱３５０同士は、光学素子３０の入光面の周囲に沿って分散配置されている。脚柱３５０同士は、光学素子３０の入光面の中央を通る横方向軸線の両側、および光学素子３０の入光面の中央を通る鉛直方向軸線の両側へ対称に定置されている。
【００７２】
本発明を限定することなく、別の数の脚柱を有すること、および／または光学素子３０の入光面の周囲に各脚柱を異なるように定置することへの備えをなすことができるであろう。
【００７３】
ここでは、脚柱３５０のそれぞれが同じ長さを有している。変形例においては、互いに異なる長さの脚柱を有することができるであろう。
【００７４】
光学素子３０の入光面の周囲における脚柱３５０同士の分散配置によって、光源支持体１０上における光学素子３０の支持箇所同士の分散配置が可能となる。これは、組立ての間に、各脚柱３５０が光源支持体１０と直接ないしは間接的に接触するようになるからである。
【００７５】
図５に示す第１実施形態によれば、各脚柱３５０は光源支持体１０と間接的に接触するようになる。
【００７６】
各脚柱３５０の自由端の、基部２００に接する平面Ｔａに垂直な直線Ｄ上への正射影が、光導波路３３，３４の入光面３３ａ，３４ａの全ての射影のうち、基部２００の方向に下流側へ最も離れて位置した光導波路の入光面の射影に対して、同方向に、より上流側へ離れて、ないしは同程度の所に位置している。
【００７７】
そうして、各脚柱３５０が、光導波路３３，３４の入光面３３ａ，３４ａよりも光源支持体１０から遠く離れているのである。
【００７８】
脚柱３５０はそれぞれ、光源支持体１０に接触したスペーサ３５１と接触するようになる。そうして、光学素子３０が、各スペーサ３５１によって光源支持体１０に準拠させられるのである。
【００７９】
そうして、スペーサ３５１と、そのスペーサの関連付けられる脚柱３５０とによって形成される要素の、基部２００に接する平面Ｔａに垂直な直線Ｄ上への正射影が、光導波路３３，３４の入光面３３ａ，３４ａの全ての射影のうち、基部２００の方向に下流側へ最も離れて位置した光導波路の入光面の射影よりも、同方向に下流側へ離れて位置している。
【００８０】
かくしてスペーサ３５１は、各光源１４と、関連付けられた光導波路３３，３４の入光面３３ａ，３４ａとの間に間隔Ｅが保たれることを保証しつつ、各光源１４から放出される光線の最大量が、関連付けられた光導波路３３，３４の入光面３３ａ，３４ａを通じて入射するよう、この間隔Ｅを最小限にすることを可能とする。この隔たりは、例えば０．４ｍｍ未満となるように選択され得る。
【００８１】
各スペーサ３５１が光源支持体１０上に定置され、そして各脚柱３５０が、ある１つのスペーサ３５１上で支持されてよい。或いは、各スペーサ３５１が各脚柱３５０の端部へ付けられていてもよい。各脚柱３５０と各スペーサ３５１とによって形成される組立体によって、光源支持体１０に対して光学素子を定置することが可能となる。かくして光源１４を、光学素子の入光面へ接触するようになることなく、この面にできるだけ近接して定置することができる。
【００８２】
図６および図７に示す第２実施形態によれば、各脚柱３５０は光源支持体１０と直接接触するようになる。
【００８３】
各脚柱３５０の自由端の、フレーム２０の基部２００に接する平面Ｔａに垂直な直線Ｄ上への正射影が、光導波路３３，３４の入光面３３ａ，３４ａの全ての射影のうち、基部２００の方向に下流側へ最も離れて位置した光導波路の入光面の射影よりも、同方向に下流側へ離れて位置している。
【００８４】
そうして、各脚柱３５０が、光導波路３３，３４の入光面３３ａ，３４ａよりも光源支持体１０に近接しているのである。各脚柱３５０が光源支持体１０と接触するようになり、そうして、各光導波路の入光面３３ａ，３４ａと光源支持体１０との間に間隔が保たれることを可能としている。従って、光源支持体１０と各光導波路の入光面との間の距離が管理されるのである。
【００８５】
また、各脚柱３５０の長さは、基部２００に接する平面Ｔａに垂直な直線Ｄ上への正射影で考えた光源１４の高さよりも、この間隔の方が大きくなるように計算されている。かくして、光源支持体１０上に定置された各光源１４と、関連付けられた光導波路３３，３４の入光面３３ａ，３４ａとの間に間隔Ｅがもたらされる。この間隔Ｅはまた、各光源１４から放出される光線の最多数が、関連付けられた光導波路３３，３４の入光面３３ａ，３４ａを通じて入射するようなものでもある。この隔たりは、例えば０．４ｍｍ未満となるように選択され得る。
【００８６】
この実施形態によれば、図示例において、光学素子３０とフレーム２０とによって形成される組立体が光源支持体１０上に取り付けられる前には、フレーム２０の基部２００に接する平面Ｔａに対して各脚柱３５０が交差している。このことは、特に図７で見える。
【００８７】
照明モジュール１は、光学素子３０とフレーム２０との間に弾性接続部２４を備えている。その弾性接続部２４は、フレーム２０と光学素子３０とによって形成される組立体が光源支持体１０上に取り付けられたときに変形することのできるものである。従って、この弾性接続部２４は、フレーム２０と光学素子３０とによって形成される要素が、光学素子３０を変形させることなく、そして特に光導波路３３，３４を損傷させることなく、光源支持体１０上に定置されることを可能とする。
【００８８】
脚柱３５０同士が異なる長さを有する変形例においては、一部の脚柱３５０が光源支持体と（スペーサを介して）間接的に接触し、その他の脚柱３５０が光源支持体と直接接触するであろうように、２つの実施形態同士を組み合わせることが可能であろう。
【００８９】
また、それぞれの実施形態において、各脚柱３５０は光学素子１０と同じ材料で作られている。かくして、光源１４が点灯されて熱を生じさせたときには、光学素子３０と各脚柱３５０とが温度変化の関数として同じように変形する。従って、光学素子３０の変形が、各脚柱３５０の変形によって補償されるのである。かくして、温度変化の影響を受けることなく、光学素子３０の入光面と各光源１４との間で実質的に一定の距離が保たれ得るのである。
【００９０】
光学素子３０と各脚柱３５０とは、弾性変形可能な材料（例えば、シリコーン）で作られている。本発明において「弾性変形可能」とは、材料が応力を受けたときに破壊することなく変形することを意味する。従って、その材料は可撓性のものである。
【００９１】
別の例によれば、それらはポリカーボネート、ポリ（メチルメタクリレート）（ＰＭＭＡ）、または光導波路３３，３４を作るのに適した任意の別材料で作ることができるであろう。
【００９２】
また、第２実施形態においては、弾性接続部２４が、光学素子３０および各脚柱３５０と同じ材料で作られているのが有利である。かくして、光源１４が点灯されて熱を放散させたとき、光学素子３０、各脚柱３５０、および弾性接続部２４が同じ変形を被ることで、各光源１４と、光導波路３３，３４の入光面３３ａ，３４ａとの間の距離を実質的に一定に保つのを助ける。
【００９３】
フレーム２０は、光学素子および各脚柱よりも弾性変形しにくい材料で作られている。かくして、フレーム２０と光学素子３０とによって形成される要素の光源支持体１０への正確な固定を確保することができ、各光源１４に面した各光導波路３３，３４の定置を容易にすることができる。特に、フレーム２０の膨張率は、各脚柱３５０の膨張率よりも遙かに低くなっている。
【図１】
2022501773.tif 000003
【図２】
2022501773.tif 000004
【図３】
2022501773.tif 000005
【図４】
2022501773.tif 000006
【図５】
2022501773.tif 000007
【図６】
2022501773.tif 000008
【図７】
2022501773.tif 000009
【図８】
2022501773.tif 000010
【国際調査報告】
2022501773.tif 000011
2022501773.tif 000012
2022501773.tif 000013
2022501773.tif 000014
2022501773.tif 000015